(57)【要約】【課題】  顧客電子装置についてのイーサネットと１３９４Ａローカルリンクとの間での翻訳ブリッジ方法及び装置を提供する。【解決手段】  ローカルリンク上の論理装置を含む第１ネットワークと、他のローカルリンク上の論理装置を含む外部ネットワークとの間でアドレス翻訳を提供する方法において、外部ネットワーク内で、それぞれの外部論理装置にリンクローカルアドレスを割当てるステップと、該当する割当てられたリンクローカルアドレスでのそれぞれの外部論理装置を第１ネットワーク内の装置に表すステップと、を含み、外部論理装置の組合わせを第１ネットワーク内の装置に表すことで構成される翻訳装置である。これにより、第１ネットワークローカルリンクと外部ネットワークローカルリンクとをブリッジできる。【選択図】      図１Ｂ
2005333647.tif 000002
【特許請求の範囲】
【請求項１】
翻訳装置で、ローカルリンク上の論理装置を含む第１ネットワークと、他のローカルリンク上の論理装置を含む外部ネットワークとの間でアドレス翻訳を提供する方法において、
前記外部ネットワーク内で、それぞれの外部論理装置にリンクローカルアドレスを割当てるステップと、
前記該当する割当てられたリンクローカルアドレスでのそれぞれの外部論理装置を、前記第１ネットワーク内の装置に表すステップを含み、
前記翻訳装置は、前記外部論理装置の組合わせを前記第１ネットワーク内の装置に表すことを特徴とする方法。
【請求項２】
前記それぞれの外部論理装置にリンクローカルアドレスを割当てるステップは、
実際のアドレスに対応する唯一のポート番号と、前記外部ネットワーク内の外部論理装置に対応するポート番号とを、それぞれのローカルリンクアドレス内に含むステップを更に含むことを特徴とする請求項１に記載の方法。
【請求項３】
前記該当する割当てられたリンクローカルアドレスでのそれぞれの外部論理装置から発せられるように、前記外部装置に物理的なパケットを翻訳するステップを更に含むことを特徴とする請求項１に記載の方法。
【請求項４】
アドレス及びポート番号を前記アドレスとして取扱うことによって、前記該当する割当てられたリンクローカルアドレスでのそれぞれの外部論理装置から発せられるように、前記外部装置に物理的なパケットを翻訳するステップを更に含むことを特徴とする請求項２に記載の方法。
【請求項５】
前記該当する割当てられたリンクローカルアドレスでのそれぞれの外部論理装置から発せられるように、前記外部装置にコンテンツ内のアドレスを翻訳するステップを更に含むことを特徴とする請求項１に記載の方法。
【請求項６】
アドレス及びポート番号を前記アドレスとして取扱うことによって、前記該当する割当てられたリンクローカルアドレスでのそれぞれの外部論理装置から発せられるように、前記外部装置にコンテンツ内のアドレスを翻訳するステップを更に含むことを特徴とする請求項２に記載の方法。
【請求項７】
前記第１ネットワークでの装置は、２０２７タイプの装置であり、前記外部ネットワークでの装置は、２０２７装置であることを特徴とする請求項１に記載の方法。
【請求項８】
前記第１ネットワークは、１３９４ネットワークを含み、前記外部ネットワークは、イーサネット（登録商標）ネットワークを含むことを特徴とする請求項１に記載の方法。
【請求項９】
前記それぞれの外部装置は、ローカルアドレス情報を有する２０２７ファイルを含み、
アドレス翻訳を提供するために、前記外部装置の２０２７装置情報ファイルを前記翻訳装置内の２０２７ファイルと結合するステップを更に含むことを特徴とする請求項７に記載の方法。
【請求項１０】
第１ネットワーク内で、それぞれの論理装置に対するリンクローカルアドレスを割当てるステップと、
前記対応される割当てられたリンクローカルアドレスでのそれぞれの第１ネットワーク内での論理装置を、前記外部ネットワーク内の装置に表すステップと、を更に含むが、
前記翻訳装置は、前記第１ネットワーク内での論理装置の組合わせを前記外部ネットワーク内の装置に表すことを特徴とする請求項１に記載の方法。
【請求項１１】
前記第１ネットワーク内のそれぞれの外部論理装置にリンクローカルアドレスを割当てるステップは、
実際のアドレスに対応する唯一のポート番号と、前記第１ネットワーク内の該当する論理装置に対応するポート番号とを、それぞれのローカルリンクアドレス内に含むステップを更に含むことを特徴とする請求項１０に記載の方法。
【請求項１２】
前記該当する割当てられたリンクローカルアドレスでのそれぞれの外部論理装置から発せられるように、前記第１ネットワーク内の装置に物理的なパケットを翻訳するステップを更に含むことを特徴とする請求項１０に記載の方法。
【請求項１３】
アドレス及びポート番号を前記アドレスとして取扱うことによって、前記該当する割当てられたリンクローカルアドレスでのそれぞれの外部論理装置から発せられるように、前記第１ネットワーク内の装置に物理的なパケットを翻訳するステップを更に含むことを特徴とする請求項１１に記載の方法。
【請求項１４】
前記該当する割当てられたリンクローカルアドレスでのそれぞれの外部論理装置から発せられるように、前記第１ネットワーク内の装置にコンテンツ内のアドレスを翻訳するステップを更に含むことを特徴とする請求項１０に記載の方法。
【請求項１５】
アドレス及びポート番号を前記アドレスとして取扱うことによって、前記該当する割当てられたリンクローカルアドレスでのそれぞれの外部論理装置から発せられるように、前記第１ネットワーク内の装置にコンテンツ内のアドレスを翻訳するステップを更に含むことを特徴とする請求項１１に記載の方法。
【請求項１６】
ローカルリンク上の論理装置を含む第１ネットワークと、他のローカルリンク上の論理装置を含む外部ネットワークとの間のアドレス翻訳を提供する制御装置において、
外部ネットワーク内で、それぞれの外部論理装置に対するリンクローカルアドレスを割当て、前記該当する割当てられたリンクローカルアドレスでのそれぞれの外部論理装置を前記第１ネットワーク内の装置に表し、
前記外部論理装置の組合わせを前記第１ネットワーク内の装置に表す翻訳装置を備えることを特徴とする制御装置。
【請求項１７】
前記それぞれの外部論理装置にリンクローカルアドレスを割当てることは、
実際のアドレスに対応する唯一のポート番号と、前記外部ネットワーク内の外部論理装置に対応するポート番号とを、それぞれのローカルリンクアドレス内に含むことを更に含むことを特徴とする請求項１６に記載の制御装置。
【請求項１８】
前記制御装置は、前記該当する割当てられたリンクローカルアドレスでのそれぞれの外部論理装置から発せられるように、前記外部装置に物理的なパケットを翻訳することを更に含むことを特徴とする請求項１６に記載の制御装置。
【請求項１９】
アドレス及びポート番号を前記アドレスとして取扱うことによって、前記制御装置は、前記該当する割当てられたリンクローカルアドレスでのそれぞれの外部論理装置から発せられるように、前記外部装置に物理的なパケットを翻訳することを更に含むことを特徴とする請求項１７に記載の制御装置。
【請求項２０】
前記制御装置は、前記該当する割当てられたリンクローカルアドレスでのそれぞれの外部論理装置から発せられるように、前記外部装置にコンテンツ内のアドレスを翻訳することを更に含むことを特徴とする請求項１６に記載の制御装置。
【請求項２１】
アドレス及びポート番号を前記アドレスとして取扱うことによって、前記制御装置は、前記該当する割当てられたリンクローカルアドレスでのそれぞれの外部論理装置から発せられるように、前記外部装置にコンテンツ内のアドレスを翻訳することを更に含むことを特徴とする請求項１７に記載の制御装置。
【請求項２２】
前記第１ネットワークでの装置は、２０２７タイプの装置であり、前記外部ネットワークでの装置は、２０２７装置であることを特徴とする請求項１６に記載の制御装置。
【請求項２３】
前記第１ネットワークは、１３９４ネットワークを含み、前記外部ネットワークは、イーサネット（登録商標）ネットワークを含むことを特徴とする請求項１７に記載の制御装置。
【請求項２４】
前記それぞれの外部装置は、ローカルアドレス情報を含む２０２７ファイルを含み、
アドレス翻訳を提供するために、前記外部装置の２０２７装置情報ファイルを前記翻訳装置内の２０２７ファイルと結合することを更に含むことを特徴とする請求項２２に記載の制御装置。
【発明の詳細な説明】
【技術分野】
【０００１】
本発明の優先権は、２００４年５月１８日に出願された米国仮特許出願番号６０／５７２,０８１と、前記米国仮特許出願に対して２００５年４月１１日に米国で正規特許出願された件である。
【０００２】
本発明は、一般的に、相互連結されたネットワークに係り、更に詳細には、イーサネット（登録商標）ローカルリンクと１３９４ローカルリンクとをブリッジングすることに関する。
【背景技術】
【０００３】
より広い地域でＩＰネットワーキングを行うために、ホストは、ＤＨＣＰサーバーのようなネットワーク上でのソースから、自動的に、またはユーザーにより受動的に自身のインターフェースについてのＩＰアドレスをもって構成される必要がある。しかし、前記のようなアドレス構成情報は、常に利用されうるものではない。
【０００４】
通常的に、ＩＰｖ４のためのリンクローカルアドレスの割当ては、他のリンクに接近できないアドレスを発生させる。１３９４リンク上でのＩＰ装置は、イーサネットリンクの論理部で受け入れることができず、イーサネットリンク上でのＩＰ装置は、１３９４リンクの論理部で受け入れることができない。なぜなら、ＭＡＣアドレス空間が異なり、最大のパケットのサイズが異なるためである。リンクローカルＩＰｖ４アドレスは、同じ物理的な（または、論理的な）リンクと直接に連結されていない装置との通信に適していない。そして、リンクローカルＩＰｖ４アドレスは、単に安定で、かつ連結可能なアドレスが無効である（例えば、ａｄ  ｈｏｃまたは独立したネットワーク）所のみで使用される。
【０００５】
リンクローカルＩＰアドレスは連結されないため、リンクローカルＩＰアドレスについての解決されていない問題点は存在する。従来の技術は、ＤＨＣＰサーバーの連結プールから、それぞれのリンクに対するアドレスプールが連結されず、割当てられたあらゆるアドレスが同じサブネット内にあってこそ、あらゆる装置にアドレスを割当てることでリンクローカルアドレスの割当てを回避させた。
【０００６】
しかし、前記のような従来技術は、リンクローカルアドレスの割当てが使用されることを許容しなかった。現在、ユニバーサルプラグアンドプレイ（ＵＰｎＰ：Ｕｎｉｖｅｒｓａｌ  Ｐｌｕｇ  ａｎｄ  Ｐｌａｙ）ネットワーキングシステムでは、いかなる条件下でもリンクローカルアドレスの割当てが要求される。さらに、前記のような従来技術は、１３９４リンクのＩＰ上での一連の装置を、二つのローカルリンクの間での相互接続を使用する隣接したローカルイーサネットリンクのＩＰ上での一連の装置と互いに連結させなかった。
【発明の開示】
【発明が解決しようとする課題】
【０００７】
本発明が達成しようとする技術的課題は、１３９４ローカルリンクのＩＰ上での顧客電子装置のクラスを、二つのローカルリンクの間での相互接続を使用する隣接したローカルイーサネットリンクのＩＰ上でのクラスと互いに連結させる方法及び装置を提供するところにある。
【０００８】
本発明が達成しようとする他の技術的課題は、ＩＰ／１３９４装置がＵＰｎＰ装置と相互動作する方法及び装置を提供するところにある。
【課題を解決するための手段】
【０００９】
前記技術的課題を解決するために、本発明の顧客電子装置についてのイーサネットと１３９４Ａローカルリンクとの間での翻訳ブリッジ方法は、翻訳装置で、ローカルリンク上の論理装置を含む第１ネットワークと、他のローカルリンク上の論理装置を含む外部ネットワークとの間でアドレス翻訳を提供する方法において、前記外部ネットワーク内で、それぞれの外部論理装置にリンクローカルアドレスを割当てるステップと、前記該当する割当てられたリンクローカルアドレスでのそれぞれの外部論理装置を前記第１ネットワーク内の装置に表すステップと、を含み、前記翻訳装置は、前記外部論理装置の組合わせを前記第１ネットワーク内の装置に表すことを特徴とする。
【００１０】
また、前記技術的課題を解決するために、本発明の顧客電子装置についてのイーサネットと１３９４Ａローカルリンクとの間で、翻訳ブリッジ装置は、ローカルリンク上の論理装置を含む第１ネットワークと、他のローカルリンク上の論理装置を含む外部ネットワークとの間のアドレス翻訳を提供する制御装置において、外部ネットワーク内で、それぞれの外部論理装置に対するリンクローカルアドレスを割当て、前記該当する割当てられたリンクローカルアドレスでのそれぞれの外部論理装置を前記第１ネットワーク内の装置に表し、前記外部論理装置の組合わせを前記第１ネットワーク内の装置に表す翻訳装置を備えることを特徴とする。
【発明の効果】
【００１１】
本発明により、顧客電子装置についてのイーサネットローカルリンクと１３９４Ａローカルリンクとの間のような二種ネットワーク間で、翻訳ブリッジを提供して互換させうる。
【発明を実施するための最良の形態】
【００１２】
以下、添付された図面を参照して本発明の好ましい実施形態について詳細に説明する。
【００１３】
本発明の一実施形態によれば、それぞれの論理ローカルリンク上でリンクローカルＩＰアドレスは、ブリッジングされた相互の論理リンクに割当てられる。それにより、翻訳ブリッジは、それぞれの外部論理装置を、実際のＩＰアドレスに該当する割当てられた唯一のポート番号と、接触されたリンク上での外部論理装置のポート番号とを有して連結された単一ＩＰアドレスとして表す。
【００１４】
したがって、外部リンク上でのあらゆる装置は、一つの物理的装置内で論理装置として表される。それにより、前記物理的装置は、あらゆる外部論理装置の２０２７ファイル応答の組合わせを探索するためのローカルリンク２０２７ファイル応答として表す。その後、物理的なパケットは、該当する装置のリンクローカルから発せられるように、外部装置に翻訳される。さらに、ハイパーリンク内でのアドレスは、アドレス及びポート番号を前記アドレスとして取扱うことによって、まったく同じ方法で翻訳される。
【００１５】
他の一実施形態で本発明の特徴及び効果は、以下の図面として説明された詳細な説明から明らかになる。
【００１６】
一実施形態で、本発明は、顧客電子装置についてのイーサネットローカルリンクと１３９４Ａローカルリンクとの間での翻訳ブリッジを提供する方法及びシステムを提供する。
【００１７】
以下では、ＣＥＡ−２０２７及びＣＥＡ−９３１Ｂコンプライアントのコンテキスト、顧客電子装置と連結された１３９４のクラスについてのグラフィックユーザーインターフェースを制御するＩＰ、及び顧客電子装置と顧客情報技術装置とが連結されたイーサネットの類似セットに関する。
【００１８】
ＣＥＡ−２０２７の基本的な概念は、ＩＰアドレスとポート番号とによりアドレス化される論理装置であり、前記論理装置が、イーサネットまたは１３９４に付着されているかについてのものである。本発明の一実施形態によれば、それぞれの論理ローカルリンク上で、リンクローカルＩＰアドレスは、ブリッジングされた相互の論理リンクに割当てられる。それにより、翻訳ブリッジは、それぞれの外部論理装置を、実際のＩＰアドレスに該当する割当てられた唯一のポート番号と、接触されたリンク上での外部論理装置のポート番号とを有して、連結された単一ＩＰアドレスとして表す。
【００１９】
したがって、外部のリンク上でのあらゆる装置は、一つの物理的装置内で論理装置として表される。それにより、前記物理的装置は、外部論理装置の２０２７ファイル応答の組合わせを探索のためのローカルリンク２０２７ファイル応答として表す。その後、物理的なパケットは、該当する装置のリンクローカルから発せられるように、外部装置に翻訳される。さらに、ハイパーリンク内でのアドレスは、アドレスとポート番号とを前記アドレスとして取扱うことによって、まったく同じ方法で翻訳される。
【００２０】
例えば、単一リンク上での二つのホストの間のＩＰｖ４通信のためのリンクローカルアドレス化が記述される。ホストのセットは、下記のような条件下で同じリンク上にあると考えられる。前記での条件は、前記セット中の任意のホストＡがユニキャスト、マルチキャストまたはブロードキャストを通じて、前記セット中の任意のホストＢにパケットを伝送する時、全体的なリンクレイヤーパケットペイロードは変更されずに到着し、前記ホストセット中のある任意のホストにより前記リンク上に伝送されたブロードキャストが、前記セット中の他のあらゆるホストにより受信される場合である。
【００２１】
例えば、ホストは、自動的に同じ物理的または論理的リンクに連結された他の装置及び通信に適した１６９.２５４／１６プレフィックス内のＩＰｖ４アドレスと共にインターフェースを構成する。
【００２２】
前記したように、ローカルＩＰ／イーサネットリンクとローカルＩＰ／１３９４リンク上での２０２７装置の間に、相互動作のために従来のブリッジまたはルータは使用することができない。２０２７装置は、自身の２０２７ファイルにより定義される。２０２７ファイルは、自身の論理ブロック説明の組合わせである。本発明によれば、変換ブリッジまたは表現装置（Ｒｅｐｒｅｓｅｎｔａｔｉｏｎａｌ  Ｄｅｖｉｃｅ：以下、ＲＤ）は、それぞれのネットワークに提供される。そして、変換ブリッジまたはＲＤは、あるリンク上でのあらゆる論理装置を、他のリンク上での単一物理装置に表す。
【００２３】
図１Ａは、本発明の一実施形態に係るアドレス翻訳を行うネットワークの機能ブロック図である。変換ブリッジまたはＲＤは、イーサネットネットワーク、ＲＤｅ変換ブリッジ装置、１３９４ネットワーク及びＲＤｆ変換ブリッジ装置から構成される。また、前記変換ブリッジまたはＲＤは、１３９４ネットワークとイーサネットネットワークとの間でのネットワークインターフェースを更に備える。
【００２４】
前記構成で、それぞれの論理ローカルリンク上でリンクローカルＩＰアドレスは、ブリッジングされた相互の論理リンクに割当てられる。それにより、翻訳ブリッジは、それぞれの外部論理装置を、実際のＩＰアドレスに該当する割当てられた唯一のポート番号と、接触されたリンク上での外部論理装置のポート番号とを有して、連結された単一ＩＰアドレスとして表す。
【００２５】
図１Ｂは、本発明の他の一実施形態に係るアドレス翻訳を行うネットワークの機能ブロック図である。変換ブリッジまたはＲＤは、イーサネットネットワーク、ＲＤｅ変換ブリッジ装置、及び該当する２０２７ファイルｅ１，・・・，ｅｍを含む複数のイーサネット装置ｌ，・・・，ｍを備える。
【００２６】
図１Ｂの例で、ＲＤｅは、あらゆるファイヤウォール装置をイーサネットローカルリンクに表すため、ＲＤｅに該当する連結された２０２７ファイルは、ファイヤウォール２０２７ファイルｆ1，・・・，ｆｎの組合わせのリマッピングされたバージョンである。同様に、ＲＤｆは、イーサネット装置を１３９４装置に表すため、ＲＤｆに該当する２０２７ファイルは、イーサネット２０２７ファイルｅ１，・・・，ｅｍの組合わせのリマッピングされたバージョンである。
【００２７】
ＲＤ装置は、１３９４ネットワーク、ＲＤｆ変換ブリッジ装置、該当する２０２７ファイルｆ1，・・・，ｆｎを含む複数の１３９４装置ｌ，・・・，ｎを更に備える。また、前記ＲＤ装置は、１３９４ネットワークとイーサネットネットワークとの間でネットワークインターフェースを更に備える。
【００２８】
ＲＤｅ装置は、イーサネット装置の２０２７ファイルｅ１，・・・，ｅｍの組合わせである２０２７ファイルｅｒｄを含む。さらに、ＲＤｆ装置は、１３９４装置の２０２７ファイルｆ1，・・・，ｆｎの組合わせである２０２７ファイルｆｒｄを含む。また、ＲＤｆの２０２７ファイルｆｒｄは、ＵＲＩ（Ｕｎｉｖｅｒｓａｌ  Ｒｅｓｏｕｒｃｅ  Ｉｎｔｅｒｆａｃｅ）値をリマッピングするために処理される。そして、ＲＤｅの２０２７ファイルｅｒｄは、ＵＲＩ値をリマッピングするために処理される。
【００２９】
ＲＤｆは、イーサネットネットワーク上で物理的にまたは直接的に連結された装置を、１３９４ネットワーク上で物理的にまたは直接的に連結された装置に表し、ＲＤｅは、１３９４ネットワーク上で物理的にまたは直接的に連結された装置を、イーサネットネットワーク上で物理的にまたは直接的に連結された装置に表すため、ＲＤｆで使用された方法は、ＲＤｅに正確に適用される。
【００３０】
前記構成で、それぞれの論理ローカルリンク上でリンクローカルＩＰアドレスは、ブリッジングされた相互の論理リンクに割当てられる。それにより、翻訳ブリッジは、それぞれの外部論理装置を、実際のＩＰアドレスに該当する割当てられた唯一のポート番号と、接触されたリンク上での外部論理装置のポート番号とを有して、連結された単一ＩＰアドレスとして表す。
【００３１】
ＲＤｆは、次の通りに構成される。
【００３２】
１．イーサネットポートでのＲＤｆは、イーサネットネットワーク上のリンクローカルアドレス割当て（ＬＬＡＡ：Ｌｉｎｋ  Ｌｏｃａｌ  Ａｄｄｒｅｓｓ  Ａｓｉｇｎｍｅｎｔ）を通じてリンクローカルＩＰアドレスを受信する。
【００３３】
２．ＲＤｆは、イーサネットネットワーク上での２０２７ファイル探索結果と、イーサネットネットワーク上のあらゆる他の装置の２０２７ファイルとを収集する。ここで、ＲＤｅにより提供されたものを除く。
【００３４】
３．ＲＤｆは、イーサネットネットワーク上での装置を、１３９４ネットワーク上に連結された装置に表すために、論理装置（例えば、ＩＰアドレス、ポート番号、プレフィックス）に対するリマッピングテーブルＴｆを決定する。
【００３５】
４．ＲＤｆは、イーサネットネットワークに直接的に連結されたがマッピングテーブル別にリマッピングされたＩＰアドレス、ポート番号、そしてプレフィックスを有するＲＤｆの装置からイーサネットネットワークに２０２７ファイルｅ１，・・・，ｅｍの組合わせである２０２７ファイルｆｒｄを生成する。
【００３６】
５．２０２７ファイルｆｒｄが生成されれば、ＲＤｆは、１３９４バス上でリセットをトリガーすることができ、１３９４ネットワークローカルリンク上で２０２７ファイルの探索に参加できる。
【００３７】
６．１３９４装置（例えば、装置Ａ）がＲＤｆから客体のＨＴＴＰ  ｇｅｔを発行した時、リマッピングテーブルＴｆは利用され、ＲＤｆは、直接的に連結された該当するイーサネット装置からＨＴＴＰ  ＧＥＴを生成する。前記受信された客体及び応答は、装置Ａから原本ＨＴＴＰ  ＧＥＴを実行するために、ＲＤｆにより使用される。受信された客体内で提供されたあるハイパーリンクは、装置Ａに結果を送る前にリマッピングテーブルＴｆを使用してマッピングされる。
【００３８】
前記過程は、特別にアドレス化されたＩＰｖ４リンクローカル装置に対して利用されうる。ＩＰｖ６は、あらゆるＩＰｖ６アドレスが接近できるという点で、前記問題点の一部を解決する。
【００３９】
さらに、ＲＤｅは、次の通りに構成される。
【００４０】
１．１３９４ポートでのＲＤｅは、１３９４ネットワーク上のＬＬＡＡを通じてリンクローカルＩＰアドレスを受信する。
【００４１】
２．ＲＤｅは、１３９４ネットワーク上での２０２７ファイル探索結果と、１３９４ネットワーク上であらゆる他の装置の２０２７ファイルとを収集する。ここで、ＲＤｆにより提供されたものを除く。
【００４２】
３．ＲＤｅは、ＲＤｅ装置をイーサネットネットワーク上に連結された装置に表すために、論理装置（例えば、ＩＰアドレス、ポート番号、プレフィックス）に対するリマッピングテーブルＴｅを決定する。
【００４３】
４．ＲＤｅは、１３９４ネットワークに直接的に連結されているが、リマッピングテーブルＴｅ別にリマッピングされたＩＰアドレス、ポート番号、及びプレフィックスを有するＲＤｅの装置から１３９４ネットワークに２０２７ファイルｆ1，・・・，ｆｎの組合わせである２０２７ファイルｅｒｄを生成する。
【００４４】
５．２０２７ファイルｅｒｄが形成されれば、ＲＤｅは、イーサネットネットワーク上でリセットをトリガーすることができ、イーサネットネットワークローカルリンク上で２０２７ファイルの探索に参加できる。
【００４５】
６．イーサネット装置（例えば、装置Ｂ）が、ＲＤｅから客体のＨＴＴＰ  ｇｅｔを発行した時、リマッピングテーブルＴｅは利用され、ＲＤｅは、直接的に連結された該当するイーサネット装置からＨＴＴＰ  ＧＥＴを生成する。前記受信された客体及び応答は、装置Ｂから原本ＨＴＴＰ  ＧＥＴを行うために、ＲＤｅにより使用される。受信された客体内で提供されたあるハイパーリンクは、装置Ｂに結果を送る前にリマッピングテーブルＴｅを使用してマッピングされる。
【００４６】
図２は、本発明の更に他の一実施形態に係るアドレス翻訳を行うネットワークの機能ブロック図である。イーサネットネットワーク内にＲＤｅ変換ブリッジ装置が提供される。そして、１３９４ネットワーク内に変換ブリッジ装置が提供される。
【００４７】
前記構成で、それぞれの論理ローカルリンク上でリンクローカルＩＰアドレスは、ブリッジされた相互の論理リンクに割当てられる。それにより、翻訳ブリッジは、それぞれの外部論理装置を、実際のＩＰアドレスに該当する割当てられた唯一のポート番号と、接触されたリンク上での外部論理装置のポート番号とを有して、連結された単一ＩＰアドレスとして表す。
【００４８】
図３は、図２を更に詳細に示す機能ブロック図である。イーサネット方向のＲＤｅ装置は、１３９４ネットワーク内に２０２７装置の全体的な論理ローカルリンクとして表す２０２７ファイルを含む。イーサネット方向のＲＤｅ装置に対する２０２７ファイルは、１３９４（ファイヤウォール）装置に対するあらゆる分離された２０２７ファイルの連結を含む。
【００４９】
イーサネットネットワーク内のＲＤｅ装置は、あらゆる１３９４装置をイーサネットネットワーク内の２０２７コンプライアント装置に表す。外部リンク上でのあらゆる装置は、一つの物理的なＲＤｅ装置内で論理装置として表される。それにより、前記物理的なＲＤｅ装置は、あらゆる外部論理装置の２０２７ファイル応答の組合わせを探索のためのローカルリンク２０２７ファイル応答として表す。
【００５０】
その後、物理的なパケットは、該当する装置のリンクローカルから発せられるように、外部装置に翻訳される。そのような過程は、翻訳過程または直接的な過程として言及される（このような過程は反射的である）。ここで、前記該当する装置は、表されているものと異なる形態の装置でありうる。例えば、前記該当する装置は、１３９４装置またはイーサネット装置でありうる。
【００５１】
さらに、ハイパーリンク上でのアドレスは、アドレスとポート番号とを前記アドレスとして取扱うことで、まったく同じ方法で翻訳される。ポート番号は、ＲＤｅ装置に対する唯一の割当てを生成するためにリマッピングされる。ここで、ＲＤｅ装置は、イーサネットネットワーク内で適した２０２７コンプライアントイーサネット装置である。
【００５２】
１３９４方向のＲＤｆ装置は、イーサネットネットワーク内に２０２７装置の全体的な論理ローカルリンクとして表す２０２７ファイルを含む。ＲＤｆ装置に対する２０２７ファイルは、あらゆるイーサネット装置（ＲＤｅ装置を除く）から発せられた２０２７ファイルの連結である。
【００５３】
１３９４ネットワーク内のＲＤｆファイヤウォール２０２７コンプライアント装置は、あらゆる２０２７イーサネット装置を１３９４ネットワーク内の２０２７コンプライアント装置に表す。外部リンク上でのあらゆる装置は、一つの物理的なＲＤｆ装置内で論理装置として表される。そして、前記ＲＤｆ物理的な装置は、あらゆる外部論理装置の２０２７ファイル応答の組合わせを、探索のためのローカルリンク２０２７ファイル応答として表す。
【００５４】
その後、物理的なパケットは、該当する装置のリンクローカルから発せられるように、外部装置に翻訳される。さらに、ハイパーリンク上でのアドレスは、アドレスとポート番号とを前記アドレスとして取扱うことで、まったく同じ方法で翻訳される。さらに、ポート番号は、ＲＤｆ装置に対する唯一の割当てを生成するためにリマッピングされる。
【００５５】
したがって、１３９４ネットワーク上の１３９４装置からＲＤｆ装置に行くＨＴＴＰ ＧＥＴ命令は、ポート番号リマッピングを使用して、イーサネットネットワーク内に適したイーサネット論理装置に反映される。適したイーサネット論理装置からリターンされたコンテンツは、ＸＨＴＭＬコンテンツを含む。ここで、コンテンツ内に含まれたハイパーリンクは、またリマッピングされたポート番号である。イーサネット装置内に考案されたハイパーリンクは、ＲＤｆがＲＤｆインターフェースの１３９４上で唯一の表現を有するために、ＲＤｆ内でポートマッピングされる。同様に、１３９４ローカルリンク上で物理的に存在するハイパーリンクは、イーサネットローカル上で唯一の表現を有するために、ＲＤｅ内でポートマッピングされる。
【００５６】
前記のように、ハイパーリンクが、ＲＤｆ装置で生成されたＧＥＴからの１３９４結果内で活性化される時、活性化は、イーサネットネットワーク内に適した論理装置に反映される。
【００５７】
図４は、本発明の更に他の一実施形態に係るアドレス翻訳を行うネットワークの機能ブロック図である。前記したように、ＲＤｅ装置とＲＤｆ装置とが機能が組合わせられた一つのＲＤ装置が利用される。
【００５８】
以上のように、図面及び明細書で最良の実施形態が開示された。ここで、特定の用語が使用されたが、これは、単に本発明を説明するための目的で使用されたものであり、意味限定や特許請求の範囲に記載された本発明の範囲を制限するために使用されたものではない。したがって、当業者ならば、これから多様な変形及び均等な他の実施形態が可能であるということが理解できる。したがって、本発明の真の技術的保護範囲は、添付された特許請求の範囲の技術的思想により決まらねばならない。例えば、イーサネットネットワークと１３９４ネットワークの代りに、他の形態のネットワークを利用できる。
【００５９】
たとえ、本発明が好ましいバージョンと関連して非常に詳細に説明されたとしても、他のバージョンも可能である。したがって、添付された請求項は、本明細書に含まれた好ましいバージョンの説明に制限されてはならない。
【産業上の利用可能性】
【００６０】
本発明は、例えば、ネットワーク関連の技術分野に効果的に適用できる。
【図面の簡単な説明】
【００６１】
【図１Ａ】本発明の一実施形態に係るアドレス翻訳を行うネットワークの機能ブロック図である。
【図１Ｂ】本発明の他の一実施形態に係るアドレス翻訳を行うネットワークの機能ブロック図である。
【図２】本発明の更に他の一実施形態に係るアドレス翻訳を行うネットワークの機能ブロック図である。
【図３】図２を更に詳細に示す機能ブロック図である。
【図４】本発明の更に他の一実施形態に係るアドレス翻訳を行うネットワークの機能ブロック図である。
【図１Ａ】
2005333647.tif 000003
【図１Ｂ】
2005333647.tif 000004
【図２】
2005333647.tif 000005
【図３】
2005333647.tif 000006
【図４】
2005333647.tif 000007